(57)【要約】      （修正有）【課題】ドアの閉鎖時にドアとドア枠との間に指が挟込まれる（指詰）のを防止するドア用挟込防止具について、ドア周りの外観を不良にすることがないようにし、ドアの出入りの障害になるないようにし、しかも安価に製造できるドア用挟込防止具を提供する。【解決手段】ドアＤとドア枠ＤＦとの間に張設されドア枠ＤＦからドアＤの反対方向へ延びるシート状のカバー材１と、カバー材１の横方向の一端部をドアＤに固定する固定用部材４と、ドア枠ＤＦに固定されカバー材１のドア枠ＤＦからの離間を阻止するガイド用部材５と、カバー材１の横方向の他端部とドアＤの周囲の内装材ＷＦとの間に取付けられカバー材１にテンションを掛ける弾性材３とからなる。【選択図】図１
0003142682.tif 000002
【実用新案登録請求の範囲】
【請求項１】
ドアとドア枠との間に張設されドア枠からドアの反対方向へ延びるシート状のカバー材と、カバー材の横方向の一端部をドアに固定する固定用部材と、ドア枠に固定されカバー材のドア枠からの離間を阻止するガイド用部材と、カバー材の横方向の他端部とドアの周囲の内装材との間に取付けられカバー材にテンションを掛ける弾性材とからなることを特徴とするドア用挟込防止具。
【請求項２】
請求項１のドア用挟込防止具において、ガイド用部材はカバー材の縦方向の長さよりも長い細長板とされ上下の両端部がドア枠に固定されてドア枠との間にカバー材をスライド可能に挟込むものであることを特徴とするドア用挟込防止具。
【請求項３】
請求項１または２のドア用挟込防止具において、カバー材は横方向の他端部の縁辺の全長に細長板形の端部材が取付けられていることを特徴とするドア用挟込防止具。
【請求項４】
請求項１〜３のいずれかのドア用挟込防止具において、カバー材は透明材であることを特徴とするドア用挟込防止具。
【考案の詳細な説明】
【技術分野】
【０００１】
本考案は、ドアの閉鎖時にドアとドア枠との間に指が挟込まれる（指詰）のを防止するドア用挟込防止具に係る技術分野に属する。
【背景技術】
【０００２】
最近、幼児や高齢者の保護対策として、センサ技術を利用してドアとドア枠との間に指が挟込まれるのを防止する高性能なドア装置が提供されるようになってきている。然しながら、家屋の新築，改築の際にのみこのドア装置の設置が可能であることから、既に設置されているドアが幼児や高齢者にとって危険な状態として放置されている状況がある。このため、既に設置されているドアについて後付工事で簡単に設備できるドア用挟込防止具の開発が要望されている。
【０００３】
従来、既に設置されているドアについて後付工事で簡単に設備できるようにすることを指向したドア用挟込防止具としては、例えば、以下に記載のものが知られている。
【特許文献１】特開昭６１−１７７８号公報
【特許文献２】実用新案登録第３１００１８４号公報  特許文献１，２には、ドアとドア枠とに固定されてドアとドア枠との間に張設されるカバー材を備え、カバー材がロール状に巻回され巻回方向に弾圧付勢されてドア枠に支持されているドア用挟込防止具が記載されている。
【０００４】
特許文献１，２に係るドア用挟込防止具は、ドアとドア枠とに外部から取付けることで設備できるため、既に設置されているドアについて後付工事で簡単に設備することができる。また、巻回状態から弾圧付勢に抗して繰出されてドアとドア枠との間に張設されるカバー材に弾圧付勢でテンションが掛けられるため、ドアの閉鎖時にカバー材の弛み，歪み，折曲がり等が防止されて、ドアとドア枠との間に指が挟込まれるのを確実に防止することができる。
【考案の開示】
【考案が解決しようとする課題】
【０００５】
特許文献１，２に係るドア用挟込防止具では、カバー材がロール状に巻回されてドア枠から大きく突出してしまうため、ドア周りの外観が不良になるとともにドアの出入りの障害ともなるという問題点がある。また、カバー材を巻回して弾圧付勢する機構を備えて構造が複雑になっているため、安価に製造することができないという問題点がある。
【０００６】
本考案は、このような問題点を考慮してなされたもので、ドア周りの外観を不良にすることがなく、ドアの出入りの障害になることがなく、しかも安価に製造することのできるドア用挟込防止具を提供することを課題とする。
【課題を解決するための手段】
【０００７】
前述の課題を解決するため、本考案に係るドア用挟込防止具は、実用新案登録請求の範囲の各請求項に記載の手段を採用する。
【０００８】
即ち、請求項１では、ドアとドア枠との間に張設されドア枠からドアの反対方向へ延びるシート状のカバー材と、カバー材の横方向の一端部をドアに固定する固定用部材と、ドア枠に固定されカバー材のドア枠からの離間を阻止するガイド用部材と、カバー材の横方向の他端部とドアの周囲の内装材との間に取付けられカバー材にテンションを掛ける弾性材とからなることを特徴とする。
【０００９】
この手段では、カバー材が固定用部材，ガイド用部材によってロール状に巻回されず展開状態で使用されるようにすることで、ドア枠からの突出量を削減して設備することができる。また、展開状態のカバー材に弾性材によってテンションを掛けることで、カバー材を巻回する機構が不要になって構造が簡素化される。
【００１０】
また、請求項２では、請求項１のドア用挟込防止具において、ガイド用部材はカバー材の縦方向の長さよりも長い細長板とされ上下の両端部がドア枠に固定されてドア枠との間にカバー材をスライド可能に挟込むものであることを特徴とする。
【００１１】
この手段では、シート状のカバー材が細長板のガイド用部材で縦方向の全長で規制される。
【００１２】
また、請求項３では、請求項１または２のドア用挟込防止具において、カバー材は横方向の他端部の縁辺の全長に細長板形の端部材が取付けられていることを特徴とする。
【００１３】
この手段では、弾性材の引張力が端部材で拡散されてカバー材の全面にテンションが掛けられる。
【００１４】
また、請求項４では、請求項１〜３のいずれかのドア用挟込防止具において、カバー材は透明材であることを特徴とする。
【００１５】
この手段では、カバー材で覆われたドアやドアの周囲の内装材が透視される。
【考案の効果】
【００１６】
本考案に係るドア用挟込防止具は、カバー材が固定用部材，ガイド用部材によってロール状に巻回されず展開状態で使用されるようにすることで、ドア枠からの突出量を削減して設備することができるため、ドア周りの外観を不良にすることがなく、ドアの出入りの障害になることがない効果がある。また、展開状態のカバー材に弾性材によってテンションを掛けることで、カバー材を巻回する機構が不要になって構造が簡素化されるため、安価に製造することができる効果がある。
【００１７】
さらに、請求項２として、シート状のカバー材の縦方向の全長が細長板のガイド用部材で規制されるため、カバー材に捻れ，皺寄り等を生じさせることなく、カバー材のドア枠からの離間を確実に阻止することができる効果がある。
【００１８】
さらに、請求項３として、弾性材の引張力が端部材で拡散されてカバー材の全面にテンションが掛けられるため、カバー材の張設に捻れ，皺寄り等が生ずるのを防止することができる効果がある。
【００１９】
さらに、請求項４として、カバー材で覆われたドアやドアの周囲の内装材が透視されるため、ドアやドアの周囲の内装材に施されている装飾を隠蔽することがない効果がある。
【考案を実施するための最良の形態】
【００２０】
以下、本考案に係るドア用挟込防止具を実施するための最良の形態を図面に基づいて説明する。
【００２１】
この形態では、明窓Ｗが隣接されたドアＤを設備対象とするものを示してある。
【００２２】
ドアＤは、ドア枠ＤＦにヒンジＨで回動可能に支持されている。ドアＤに隣接された明窓Ｗは、ドア枠ＤＦに隣接された窓枠ＷＦに組込まれている。
【００２３】
この形態は、カバー材１，端部材２，弾性材３，固定用部材４，ガイド用部材５からなる。
【００２４】
カバー材１は、強靱なシート状の透明材（例えば、厚さ１ｍｍ程度の透明な合成樹脂シート）からなる。このカバー材１は、縦方向がドアＤの縦長よりもわずかに短い寸法とされ、横方向がドアＤからドア枠ＤＦを超え明窓Ｗの中途部にまで到達する寸法とされている。
【００２５】
端部材２は、断面形状がコ字形の細長板形に形成されてなるもので、カバー材１の横方向の他端部（明窓Ｗ側の端部）の縁辺の全長にカバー材１を挟込むようにして取付けられている。この端部材２としては、カバー材１の透明性に対応して透明な合成樹脂材を選択することが好ましい。
【００２６】
弾性材３は、コイルスプリングからなるもので、コイル状の本体部３１の一端部が端部材２の長さ方向の中央部に固定されるクランプ形の取付金具３２に形成され他端部がフック形の取付金具３３に形成されている。この弾性材３は、収縮状態でカバー材１の他端部（端部材２）から明窓ＷのドアＤから離れた側の窓枠ＷＦに到達する長さに設定されている。
【００２７】
固定用部材４は、カバー材１の縦方向の長さよりも長い変形し難い材質の細長板（例えば、厚さ２．７５ｍｍ，幅１９ｍｍ程度の金属板）からなるもので、板本体４１の長さ方向の５箇所に取付ネジ６が挿通されるネジ孔４２が等間隔で穿孔されている。
【００２８】
ガイド用部材５は、固定用部材４と同一のものからなる。ただし、ネジ孔５２は、板本体５１のカバー材１の縦方向の長さよりも外側に位置する部分に２箇所のみ穿孔されている。
【００２９】
この形態によると、カバー材１をロール状に巻回して弾圧付勢する複雑な構造が存在しないため、安価に製造することができる。特に、固定用部材４，ガイド用部材５がネジ孔４２，６２の個数のみが相違する共通部材からなることも、安価な製造に寄与する。
【００３０】
この形態を設備するには、まず、図２に示すように、ドアＤを閉鎖状態として、カバー材１の横方向の一端部をドアＤの内側面のドア枠ＤＦ付近に当接させ、カバー材１の横方向の一端部を固定用部材４で押さえ込み、取付ネジ６でカバー材１，固定用部材４を積層状態で一体的にドアＤに締付け固定する。このとき、カバー材１の横方向の一端部の縦方向の全長が固定用部材４で押さえ込まれるため、カバー材１に捻れ，皺寄り等が生ずることがない。
【００３１】
次ぎに、カバー材１をドア枠ＤＦに当接させ、カバー材１をガイド用部材５で押さえ込み、取付ネジ６でガイド用部材５のみをドア枠ＤＦに締付け固定する。このとき、カバー材１の縦方向の全長がガイド用部材５で押さえ込まれるため、カバー材１に捻れ，皺寄り等が生ずることがない。なお、押さえ込まれたカバー材１は、シート状であるため少しの摩擦があるもののスライドが許容される。
【００３２】
次ぎに、弾性材３のフック形の取付金具３３を明窓ＷのドアＤから離れた側の窓枠ＷＦに固定したリング形の受金具７に係止させる。このとき、カバー材１が緩まないようにカバー材１に少しのテンションが掛かるように設定する。
【００３３】
以上で設備工事が完了する。この設備工事については、ネジ止作業等からなるため専門の作業員でなくても簡単に実施することができ、ドアＤ等に対して堀込加工等のない外部からの工事であるため既に設置されているドアＤに簡単に実施することができる。
【００３４】
この形態が設置された状態においては、ドアＤの閉鎖状態では、図３（Ａ）に示すように、カバー材１が少しのテンションを掛けられた状態でドアＤ，ドア枠ＤＦ，明窓Ｗ，窓枠ＷＦに沿った平面状態に張設されることになる。この状態では、弾性材３の引張力が端部材２で拡散されてカバー材１の全面にテンションが掛けられるため、カバー材１の張設に捻れ，皺寄り等が生ずるのが防止される。
【００３５】
また、ドアＤが開放されると、図３（Ｂ）に示すように、ドアＤに固定されているカバー材１の横方向の一端部がヒンジＨを中心として回動され、カバー材１がガイド用部材５により規制されてドア枠ＤＦから離間することなくスライドされ、弾性材３の弾圧付勢に抗して弾性材３を伸張させる。このとき、ドアＤとドア枠ＤＦとの隙間にカバー材１が強いテンションが掛けられて張設されることになる。この結果、カバー材１に指が触れた程度では、カバー材１に掛かっているテンションで指が反発され、ドアＤとドア枠ＤＦとの間に指が挟込まれるようなことはない。
【００３６】
また、ドアＤが開放から閉鎖に向かう際にも、収縮する弾性材３によってカバー材１に掛かるテンションが維持される。従って、ドアＤとドア枠ＤＦとの間に指が挟込まれるようなことはない。なお、ドアＤが開放から閉鎖に向かう際には、収縮する弾性材３がカバー材１を介してドアＤの閉鎖動作を助勢することにもなる。
【００３７】
この形態の動作では、カバー材１がロール状に巻回されず展開状態で使用される。従って、ドア枠ＤＦからの突出量が削減されて設備されることになって、ドアＤ周りの外観を不良にすることがなく、ドアＤの出入りの障害になることもない。
【００３８】
また、カバー材１，端部材２が透明材であるため、カバー材１，端部材２で覆われたドアＤやドアＤの周囲の内装材（ドア枠ＤＦ，明窓Ｗ，窓枠ＷＦ）が透視されるため、ドアＤやドアＤの周囲の内装材に施されている装飾を隠蔽することがない。
【００３９】
以上、図示した形態の外に、固定用部材４を短尺の板材としたり、ガイド用部材６をＬ字形片板としたりすることも可能である。
【００４０】
さらに、弾性材３をゴム材等の他の材質としたり、２本以上使用することも可能である。また、弾性材３を端部材２から分離しておき、端部材２，窓枠ＷＦに掛渡すようにすることも可能である。
【００４１】
さらに、明窓Ｗが隣接されていないドアＤを設備対象とすることも可能である。この形態では、弾性材３をドアＤの周囲の他の内装材である壁面等に取付けるようにすることも可能である。
【図面の簡単な説明】
【００４２】
【図１】本考案に係るドア用挟込防止具を実施するための最良の形態の設備状態の斜視図（一部拡大図を含む）である。
【図２】図１の分解斜視図である。
【図３】図１の動作を示す平面断面図であり、（Ａ）にドアの閉鎖状態が示され、（Ｂ）にドアの開放状態が示されている。
【符号の説明】
【００４３】
１   
カバー材
２            端部材
３            弾性材
４            固定用部材
５            ガイド用部材
Ｄ            ドア
ＤＦ          ドア枠
Ｗ            明窓
ＷＦ          窓枠（内装材）
【図１】
0003142682.tif 000003
【図２】
0003142682.tif 000004
【図３】
0003142682.tif 000005